(57)【特許請求の範囲】
【請求項１】
浴室内の空気を換気する換気ファンと、浴室内の空気を循環する循環ファンと、前記循環ファンにより生成される循環空気を加熱する加熱手段および前記換気ファンと前記循環ファンと前記加熱手段を組み合わせて作動させて浴室内を暖房もしくは乾燥する制御装置とを備えた浴室換気乾燥装置において、前記加熱手段の吐出する空気の温度を検知する加熱部温度センサと前記循環ファンの上流に設けて浴室内の温度を検知する室内温度センサと前記制御装置が前記室内温度センサの検知温度に基づいて規定する温度勾配の規定値とを設け、前記制御装置は前記加熱部温度センサの検知温度の時間推移を温度勾配として演算し、前記演算結果が前記温度勾配の規定値を超えたときに前記循環ファンの故障と判断し浴室換気乾燥装置の運転を停止することを特徴とする浴室換気乾燥装置。
【請求項２】
制御装置は運転モードを設定する設定部を備え、前記設定部の設定モードに対応して温度勾配の規定値を設定することを特徴とする請求項１記載の浴室換気乾燥装置。
【請求項３】
制御装置は加熱手段の加熱量の制御値に応じて温度勾配の規定値を変化させることを特徴とする請求項１記載の浴室換気乾燥装置。
【請求項４】
浴室換気乾燥装置は換気ファンの上流側と下流側の圧力差を検知する差圧センサを備え、制御装置は前記差圧センサの差圧出力が既定値を下回ったとき換気ファンの故障と判断して温度勾配の規定値を変化させること特徴とする請求項１記載の浴室換気乾燥装置。
【請求項５】
浴室換気乾燥装置は換気ファンの上流側と下流側の圧力差を検知する差圧センサを備え、制御装置は前記差圧センサの差圧出力が既定値を下回ったとき換気ファンの故障と判断して故障表示部に表示もしくは前記警報部により音声報知するようにした請求項１に記載の浴室換気乾燥装置。
【請求項６】
制御装置は故障表示部もしくは警報部を備え、制御装置が故障を判断したとき前記故障表示部に故障内容を表示もしくは前記警報部により音声報知を行うようにした請求項１に記載の浴室換気乾燥装置。
【発明の詳細な説明】
【技術分野】
【０００１】
本発明は、浴室や、脱衣室、洗面所、あるいはトイレなどのいわゆるサニタリーゾーンを利用して洗濯物を乾燥するほか、暖房や換気などを行う電熱を利用した浴室換気乾燥装置に関する。
【背景技術】
【０００２】
近年、一般家庭における浴室の設置が多くなるに伴い、冬期の入浴を快適にするために暖房機能を備えるとともに浴室を利用して洗濯物を乾燥させる乾燥機能を有した浴室換気乾燥装置が普及してきている。また、建築基準法が改正され新築住宅にあっては常時換気の機能を有する換気装置の設置が義務付けられ、この換気の機能も保有したいわゆる浴室換気乾燥装置の普及が拡大してきている。
【０００３】
従来、この種の装置は熱源に温水を利用するものと電熱を利用するものがある。
【０００４】
温水を利用するものはガスもしくは灯油を燃料する屋外に設置した温水器を熱源機とし、温水を循環させて熱交換器で室内の空気を暖めるものであり、電熱を利用するにあっては商用電源からの電力を利用する装置内に設置したニクロム線ヒータやハロゲンヒータなどの加熱手段を熱源とするものである。
【０００５】
前者は８０℃程度の比較的低温の温水を利用するのに対し後者は１００℃以上の比較的高温の加熱手段を利用するところから、後者にあっては装置の構造に耐熱性が要求されると共に構成部品の故障、特に循環ファンの故障が生じたときに前述の加熱手段とその近傍の温度が異常に上昇するので、火災の発生を防止したり、装置を構成する樹脂製の筐体や部品、電子部品から成る制御装置など比較的熱耐性の弱い構成部品を保護する必要がある。
【０００６】
このため、この種の装置には温度ヒューズが設けられている。
【０００７】
しかしながら温度ヒューズは最終安全装置であって火災の危険の防止を第一の目的としているもので、熱耐性の弱い装置の構成部品を保護できる保証はない。
【０００８】
この熱耐性の弱い構成部品を保護するためには前述の構成部品の故障をいち早く検知して温度ヒューズの作動以前に装置を安全側に作動させることが必要となる。
【０００９】
この構成部品の故障を検知する方法として例えば特許文献１に示すようなものが知られている。
【００１０】
特許文献１に示すものは、前述の温水器を熱源機としたもので、まず、熱源機の故障を診断する方法として、熱動弁の上流側に温度センサを設け、熱源機が作動を開始してから診断時間経過後に温度センサの検知温度が設定基準値より低いと熱源機の故障と判断する（特許文献１請求項１参照）。
【００１１】
また、換気ファンの故障を診断する方法として、浴室内の温度を検知する温度センサを設け、加熱手段の作動が停止した状態において、換気ファンが作動してから診断時間経過後の温度センサの検知温度が換気ファンの作動前の温度より低くないと換気ファンの故障と判断する（特許文献１請求項３参照）。
【００１２】
また、循環ファンの故障を診断する方法として、循環経路の吸入口または吹出口を流れる空気の温度を検知する温度センサを設けて、暖房運転が開始して循環ファンが作動した後の診断期間経過後における温度センサの検知温度が暖房運転初期の温度より所定温度以上上昇しないと故障と判断する（特許文献１請求項４参照）。
【００１３】
また、換気ファンの故障を診断する方法として、換気通路を通して排出される空気の温度を検知するセンサを設け、乾燥運転が開始して換気ファンが作動した後の診断期間経過後における温度センサの検知温度が乾燥運転初期の温度より高くないと換気ファンの故障と判断する（特許文献１請求項５参照）。
【００１４】
以上のことが記載されている。
【先行技術文献】
【特許文献】
【００１５】
【特許文献１】特開２００２−１３０７１２号公報
【発明の概要】
【発明が解決しようとする課題】
【００１６】
しかしながら、以上説明した従来の故障診断の方法を電熱利用の浴室換気乾燥装置に応用した場合は次のような課題がある。
【００１７】
すなわち、前述の従来の方法は、いずれも運転モードの開始初期の温度センサの検知温度と診断期間経過後の温度センサの検知温度とを比較するものであるので、運転中の任意の時間の故障を検知することが困難である。
【００１８】
本発明はこのようなことに鑑みてなされたものであり、運転中の任意の時間に主として温風を循環させる循環ファンの故障を検知して浴室換気乾燥装置を安全側に作動させるとともに循環ファンの故障を使用者にしらせ迅速に修理がおこなえるような浴室換気乾燥装置を提供することを第一の目的とする。
【００１９】
また、運転中の任意の時間に加熱手段とこの加熱手段を駆動するための継電器および換気ファンの故障を検知して浴室乾燥機を安全側に作動させるとともに故障部位を使用者にしらせ迅速に修理がおこなえるような浴室換気乾燥装置を提供することを第２の目的としている。
【課題を解決するための手段】
【００２０】
本発明の浴室換気乾燥装置は上記第１の目的を達成するために、浴室内の空気を換気する換気ファンと、浴室内の空気を循環する循環ファンと、前記循環ファンにより生成される循環空気を加熱する加熱手段および前記換気ファンと前記循環ファンと前記加熱手段を組み合わせて作動させて浴室内を暖房もしくは乾燥する制御装置とを備えた浴室換気乾燥装置において、前記加熱手段の吐出する空気の温度を検知する加熱部温度センサと前記循環ファンの上流に設けて浴室内の温度を検知する室内温度センサと前記制御装置が前記室内温度センサの検知温度に基づいて規定する温度勾配の規定値とを設け、前記制御装置は前記加熱部温度センサの検知温度の時間推移を温度勾配として演算し、前記演算結果が前記温度勾配の規定値を超えたときに前記循環ファンの故障と判断し浴室換気乾燥装置の運転を停止することを特徴とする。
【００２１】
また、本発明の浴室換気乾燥装置は上記第２の目的を達成するために、換気ファンの上流側と下流側の圧力差を検知する差圧センサを備え、制御装置は差圧センサの差圧出力が既定値を下回ったとき換気ファンの故障と判断して故障表示部に表示するようにしている。
【発明の効果】
【００２２】
本発明によれば運転中の故障部位を迅速に検知して装置を安全側に作動させるとともに故障部位を使用者に告知して修理対応を容易にした浴室換気乾燥装置を提供できる。
【図面の簡単な説明】
【００２３】
【図１】本発明の実施の形態１および２の全体構成を示す断面側面図
【図２】本発明の実施の形態１および２の電気系の構成を示すブロック図
【図３】同運転モードの例を示す図
【図４】同急速暖房モードでの温度推移を示す図
【図５】本発明の実施の形態１の循環ファンの故障検知の動作原理を説明するための図
【図６】同ヒータの故障検知の動作原理を説明するための図
【図７】本発明の実施の形態２の循環ファンの故障検知の動作原理を説明するための図
【図８】同ヒータの故障検知の動作原理を説明するための図
【図９】同継電器の故障検知の動作原理を説明するための図
【発明を実施するための形態】
【００２４】
本発明の請求項１記載の発明は、浴室内の空気を換気する換気ファンと、浴室内の空気を循環する循環ファンと、前記循環ファンにより生成される循環空気を加熱する加熱手段および前記換気ファンと前記循環ファンと前記加熱手段を組み合わせて作動させて浴室内を暖房もしくは乾燥する制御装置とを備えた浴室換気乾燥装置において、前記加熱手段の吐出する空気の温度を検知する加熱部温度センサと前記循環ファンの上流に設けて浴室内の温度を検知する室内温度センサと前記制御装置が前記室内温度センサの検知温度に基づいて規定する温度勾配の規定値とを設け、前記制御装置は前記加熱部温度センサの検知温度の時間推移を温度勾配として演算し、前記演算結果が前記温度勾配の規定値を超えたときに前記循環ファンの故障と判断し浴室換気乾燥装置の運転を停止することを特徴とする浴室換気乾燥装置である。
【００２５】
このことにより、誤動作なく確実に循環ファンの故障が検知して異常な温度上昇による樹脂部など熱耐性の弱い部位の変形や劣化を防止できる。また、制御装置が室内温度センサの検知温度に基づいて温度勾配の規定値を変化させることにより、誤動作なく確実に循環ファンの故障が検知できる。
【００２６】
本発明の請求項２記載の発明は、請求項１記載の制御装置は運転モードを設定する設定部を備え、設定部の設定モードに対応して温度勾配の規定値を設定することを特徴とする浴室換気乾燥装置である。
【００２７】
このことにより、誤動作なく確実に循環ファンの故障が検知できる。
【００２８】
本発明の請求項３記載の発明は、請求項１記載の浴室換気乾燥装置において、制御装置は加熱手段の加熱量の制御値に応じて温度勾配の規定値を変化させることを特徴とする浴室換気乾燥装置である。
【００２９】
このことにより、誤動作なく確実に循環ファンの故障が検知できる。
【００３０】
本発明の請求項４記載の発明は、請求項１記載の浴室換気乾燥装置において、換気ファンの上流側と下流側の圧力差を検知する差圧センサを備え、制御装置は前記差圧センサの差圧出力が既定値を下回ったとき換気ファンの故障と判断して温度勾配の規定値を変化させることを特徴とする浴室換気乾燥装置である。
【００３１】
このことにより、誤動作なく確実に循環ファンの故障が検知できる。
【００３２】
本発明の請求項５記載の発明は、請求項１記載の発明において浴室換気乾燥装置は換気ファンの上流側と下流側の圧力差を検知する差圧センサを備え、制御装置は差圧センサの差圧出力が既定値を下回ったとき換気ファンの故障と判断して故障表示部に表示もしくは警報部により音声報知するようにした浴室換気乾燥装置である。
【００３３】
このことにより、換気ファンの故障を使用者が知ることができ、この旨を修理業者に伝えることで迅速な修理対応が期待できる。
【００３４】
本発明の請求項６記載の発明は、請求項１記載の発明において、制御装置は故障表示部もしくは警報部を備え、制御装置が故障を判断したとき故障表示部に故障内容を表示もしくは警報部により音声報知を行うようにした浴室換気乾燥装置である。
【００３５】
このことにより、使用者が故障部位を知ることができ、この旨を修理業者に伝えることで迅速な修理対応が期待できる。
【００３６】
以下、本発明の実施の形態について図面を参照しながら説明する。
【００３７】
（実施の形態１）
まず、全体構成について図１と図２を用いて説明する。
【００３８】
図１は本発明の実施の形態における浴室換気乾燥装置の全体構成を示す断面図である。図１において、天井１００に取り付けられるケーシング１０１に隔壁１０２を設け、この隔壁１０２の下部に循環用モータ１０３で駆動される循環ファン１０４とヒータＡ１０５、ヒータＢ１０６、反射板１０７を備えている。グリル１０８は吸気口１０８ａと吐出口１０８ｂを有しケーシング１０１に固定される。循環風路１０９は暖房運転もしくは乾燥運転時に循環ファン１０４が駆動されたとき、室内の空気が下方の吸気口１０８ａから循環ファン１０４、ヒータＡ１０５、ヒータＢ１０６を経て吐出口１０８ｂから吹き出される室内空気の循環風路を示す。
【００３９】
一方、隔壁１０２の上部には換気用モータ１１０で駆動される換気ファン１１１と排気口１１２を備えている。排気風路１１３は暖房運転もしくは乾燥運転もしくは換気運転時に換気ファン１１１が駆動されたときの室内空気が吸気口１０８ａから吸入しダクト（図せず）を通じて屋外に排出される風路を示す。
【００４０】
以上の一般的な浴室換気乾燥装置において、制御装置１のＣＰＵ２などの主体部は、図示のように隔壁１０２で隔離された場所に、室内温度を検知する室内温度センサ３は、循環ファン１０４の上流に、それぞれ設けられ、加熱部温度センサ４は、吐出口１０８ｂとヒータＡ１０５、ヒータＢ１０６の近傍に設けられている。従って循環ファン１０４が駆動される状況では加熱部温度センサ４はヒータＡ１０５、ヒータＢ１０６で加熱されて吐出される空気の温度を検知する。加熱部温度センサ４は、ヒータＡ１０５、ヒータＢ１０６で加熱されて吐出される空気の温度が検知できるように設けられていれば良い。
【００４１】
また排気風路１１３には排気ファン１１１の吸込口と吐出口の差圧を検知する換気部差圧センサ５が設けられている。
【００４２】
図２は本発明の実施の形態における浴室換気乾燥装置の電気系の構成を示すブロック図である。
【００４３】
制御装置１はＣＰＵ（マイコンを用いた中央処理装置）２に入力として前述の室内温度センサ３と加熱部温度センサ４および換気部差圧センサ５と暖房、乾燥などの運転モードを使用者が手動で設定するための運転モード設定部６が接続され、出力としてヒータＡ１０５、ヒータＢ１０６、循環ファン１０４、排気ファン１１１のそれぞれ駆動するための継電器７，８，９，１０が接続され、さらに液晶表示器などの故障表示部１１とスピーカなどの警報部１２とが接続された構成である。そして、運転モード設定部６と故障表示部１１および警報部１２はリモコン装置１４として浴室換気乾燥装置とは別個に浴室の壁面などに取り付けて使用される。
【００４４】
また図示しないが、継電器７、８、９、１０の負荷接点は漏電遮断器を介して商用電源に接続されている。
【００４５】
次に図３と図４を用いて運転モードの説明と急速暖房運転モードを例とした運転中の温度の推移傾向について説明する。
【００４６】
図３は運転モードの例を示す図である。
【００４７】
急速暖房運転モード６ａは冬期の浴室を急速に暖房するための運転モードであり、暖房６ｂは急速な暖房を必要としない運転モードであり、乾燥６ｃは衣類などの乾燥を行うための運転モードである。
【００４８】
それぞれの運転モードで○を記した前述の構成要素が駆動されることを表している。
【００４９】
たとえば急速暖房運転６ａではヒータＡ１０５とヒータＢ１０６と循環ファン１０４が駆動されることを表している。
【００５０】
図４は図３の急速暖房運転モード６ａで浴室換気乾燥装置が正常に運転している場合の温度の時間推移を示す図である。
【００５１】
図４（ａ）は加熱部温度センサ４が検知する温度の時間推移４ａと室内温度センサ３が検知する温度の時間推移３ａを示している。
【００５２】
図４（ｂ）はヒータＡ１０５とヒータＢ１０６の通電の状況を示す図である。
【００５３】
時刻ｔ１において、室温センサ３の温度で制御装置１はヒータＡ１０５をＯＦＦし、同様に時刻ｔ２でヒータＡ１０５をＯＮする。時刻ｔ３以降も同様にヒータＡ１０５はＯＮ、ＯＦＦを繰り返して室内温度が一定になるように制御装置１がヒータＡ１０５を制御する。
【００５４】
次に図５を用いて循環ファン１０４の故障検知の原理の説明と故障検知した場合の制御装置１の動作について説明する。
【００５５】
図５は循環ファン１０４の故障検知の原理を説明するための図である。
【００５６】
図５（ａ）は図４（ａ）の加熱部温度センサ４が検知する温度の時間推移４ａと室内温度センサ３が検知する温度３ａの差を表したもので、曲線４ｂで示している。
【００５７】
曲線４ｃは図３の暖房モード６ｂで運転したときの同様の温度差を示すもので、ヒータＡ１０５のみで運転するため曲線４ｂに比べ温度差が低いことを示している。
【００５８】
図５（ｂ）は循環ファン１０４が故障した場合の加熱部温度センサ４と室内温度センサ３が検知する温度の時間推移を示し、図５（ｃ）はこのときの両センサの温度差の時間推移を表す図である。
【００５９】
まず図５（ｂ）において、任意の時刻ｔ４に循環ファン１０４が故障で停止した場合、室内温度センサ３が検知する温度（以下単に室内温度センサ３の温度と記載、加熱部温度センサについても同様）３ｂは示すようにほぼ平坦な推移であるのに対し、加熱部温度センサ４の温度は、ヒータＡ１０５およびヒータＢ１０６の輻射熱と、熱伝達を受けて４ｅで示すように急激に上昇する。
【００６０】
両者の温度差の推移は、図５（ｃ）の４ｆである。
【００６１】
図５（ｃ）において、Ｓ１は閾値（規定値）を示す線で前述の両者の温度差４ｆがこの閾値Ｓ１を超える点（時刻）Ｐ１において循環ファン１０４の故障停止が検知できる。
【００６２】
この検知方式では運転中の任意の時刻で循環ファン１０４の故障を検知できる。
【００６３】
ここで、閾値Ｓ１は当然のことながら正常運転における前述の温度差推移４ｂ（図５（ａ）の再掲）より上位に設定される。
【００６４】
図の４ｃは図５（ａ）の４ｃを再掲したものであり、正常な暖房運転時の温度差の推移を示すもので、この運転モードでは閾値Ｓ２を用いて循環ファン１０４の故障検知を行う。
【００６５】
前述と同様の時刻ｔ４での循環ファン１０４の故障停止が発生した場合の状況が図の４ｇである。
【００６６】
４ｇが閾値Ｓ２を超過する点（時刻）Ｐ２において循環ファン１０４の故障停止が検知できる。
【００６７】
図で明らかなように閾値Ｓ１で判定するのに比べ検知時間が短い。
【００６８】
この閾値Ｓ１、Ｓ２は運転モード設定部６が設定する浴室換気乾燥装置の運転モードに対応して自動的に制御装置１のＣＰＵ２がその内部において設定する。
【００６９】
以上説明した循環ファン１０４の故障検知の動作について再度時系列的に述べると、まず、循環ファン１０４の駆動される運転モードにおいては温度差の閾値（規定値）が、運転モード設定部６の設定により自動的に設定される。運転開始以後常時、加熱部温度センサ４と室内温度センサ３の温度差が演算され前記閾値と対照される。以上の過程において循環ファン１０４の故障が発生すると温度差の値が上昇し、閾値を超えた時点で循環ファン１０４の故障と判断される。
【００７０】
次に前述の循環ファン１０４の故障検知が発生した場合の制御装置１の動作について説明する。
【００７１】
制御装置１はすべての継電器７，８，９，１０をＯＦＦにして浴室換気乾燥装置の運転を停止し、警報部１２で警報を吹鳴して使用者に知らせ故障表示部１１で循環ファン１０４の故障であることを告知する。
【００７２】
以上の故障検知の動作と故障を検知した場合の制御装置１の動作はＣＰＵ２の内部のマイコンとＲＯＭおよびＲＡＭが共働するプログラムの形態で実施される。このことは次に述べるヒータの故障検知の説明についても同様である。
【００７３】
次に図６を用いてヒータ（加熱手段）の故障検知の原理の説明と故障検知した場合の制御装置１の動作について説明する。
【００７４】
図６はヒータの故障検知の原理を説明するための図である。
【００７５】
図６（ａ）は前述の図４（ａ）を再掲した図にヒータ故障時の温度推移を重ね合わせたもので、任意の時刻ｔ５においてヒータが断線などで故障した場合の加熱部温度センサ４と室内温度センサ３の温度の時間推移を示している。
【００７６】
ヒータが故障した場合、室内温度は３ｃのように下降し、加熱部の温度４ｈはこの３ｃに漸近する形で下降する。
【００７７】
この２者の温度差の推移を表したのが図６（ｂ）である。
【００７８】
図６（ｂ）において点線示４ｂは図５（ａ）の４ｂの再掲図である。
【００７９】
時刻ｔ５において温度差は４ｊのように下降するので、この下降値の規定値ΔＴ１を下回る時点（時刻）Ｐ３においてヒータの故障が検知できる。
【００８０】
この検知方式では運転初期の一定期間を除き任意の時刻でヒータの故障検知ができる。
【００８１】
この場合、規定値ΔＴ１は通常の運転時のヒータＡのＯＦＦ期間、（ｔ１−ｔ２）における温度差の下降値ΔＴ０よりも大きい値に設定される。
【００８２】
しかし、ヒータＡ１０５のＯＦＦ期間は検知動作を行わないようにしてもよく、この場合は規定値ΔＴ１を小さくできるので検知速度を早くすることができる。
【００８３】
ヒータの故障が検知された場合の制御装置の動作は前述の循環ファン１０４の場合と同様である。また、これらの動作がＣＰＵ２で制御されることも同様である。
【００８４】
（実施の形態２）
実施の形態２の浴室換気乾燥装置の全体構成および電気系の構成は実施の形態１に同じなので説明を省略する。
【００８５】
また、実施の形態１と同様に急速暖房運転モードを例として実施の形態２の各種の故障検知について説明する。
【００８６】
まず、図７を用いて循環ファン１０４の故障検知の原理の説明と故障検知した場合の制御装置１の動作について説明する。
【００８７】
図７は循環ファン１０４の故障検知の動作原理を説明するための図である。
【００８８】
図７（ａ）は加熱部温度センサ４が検知するヒータＡ１０５とヒータＢ１０６近傍の温度の時間推移を示す図で、図の点線示の４ａは図４（ａ）中の曲線４ａの再掲図である。図で４ｋは任意の時刻ｔ６において循環ファン１０４が故障停止した場合の加熱部温度センサ４が検知するヒータ近傍の温度推移を示し、４ｌは任意の時刻ｔ７において同じく循環ファン１０４が故障停止した場合のヒータＡ１０５とヒータＢ１０６近傍の温度推移を示している。
【００８９】
この２つの現象は実際には別個の機会に発生するが説明の便宜上、同一図上に記載している。
【００９０】
時刻ｔ７は時刻ｔ１−ｔ２間にあり、前述のようにこの期間はヒータＡ１０５がＯＦＦしており、ヒータＢ１０６のみＯＮの状態なので、４ｌの上昇勾配は４ｋに比べて緩やかである。
【００９１】
図７（ｂ）は前述と同様にＣＰＵ２において図７（ａ）の温度推移を温度推移の時間変化すなわち温度勾配として処理した結果を示す図である。
【００９２】
図で点線示の４ｄが図７（ａ）の４ａの温度勾配を示しており、この温度勾配は運転初期において高く時間経過とともに減少し時刻ｔ１（ヒータＡ１０５がＯＦＦ）おいて負に変化し時刻ｔ２（ヒータＡ１０５がＯＮ）において再び正に変化する。
【００９３】
実線示の４ｍは４ｋに対応しており、同じく実線示の４ｎは４ｌに対応している。
【００９４】
この図でＳ３とＳ４は温度勾配の閾値（規定値）で、Ｓ３はヒータＡ１０５がＯＮしている場合の閾値、Ｓ４はヒータＡ１０５がＯＦＦしている場合の閾値であり、ヒータＡ１０５のＯＮ、ＯＦＦを管理しているＣＰＵ２がその内部においてＳ３とＳ４を自動的に切り替える。
【００９５】
この場合、この実施の形態ではヒータＡ１０５のＯＮ、ＯＦＦで２段階であるがヒータＡ１０５の制御が無段階に行われる場合にはヒータＡ１０５（加熱手段）の加熱量の制御値に応じて温度勾配の閾値（規定値）が設定される。
【００９６】
循環ファン１０４故障時の温度勾配４ｍと閾値曲線Ｓ３との交点Ｐ３および温度勾配４ｎと閾値曲線Ｓ４との交点Ｐ４とがそれぞれ循環ファン１０４の故障検知点（時刻）である。
【００９７】
ここで閾値曲線Ｓ３、Ｓ４が曲線で右肩下がりになっているのは平常運転時の温度勾配４ｄが右肩下がりであるので、閾値が一定値の固定であると検知の誤動作の恐れがある。そこで室内温度を監視しているＣＰＵ２が室内温度により閾値を変化させて前記の誤動作を避けている。
【００９８】
また、図示しないが閾値Ｓ３とＳ４は実施の形態１で説明したように運転モードにより自動的に設定される。
【００９９】
これまでの説明は急速暖房の運転モードであるので換気ファン１１１は運転されていないが、換気ファン１１１が運転される運転モード、たとえば図３の暖房６ｂで運転された場合の換気ファン１１１の故障時の動作について説明する（図示せず）。
【０１００】
この運転モードのとき、換気ファン１１１が故障すると熱負荷が軽くなるため温度勾配は高位にシフトし設定された閾値に近づき、場合によっては閾値にクロスして循環ファン１０４の故障と誤検知するおそれがある。そこで制御装置１は換気部差圧センサ５の差圧が規定値より低くなったことで換気ファン１１１の故障を検知し、前記の設定された閾値を高位に修正して誤検知の危険を避ける。
【０１０１】
以上説明した循環ファン１０４の故障検知の動作について再度時系列的に述べる。
【０１０２】
まず、循環ファンの駆動される運転モードにおいては温度勾配の閾値（規定値）が、運転モード設定部の設定により自動的に設定される。
【０１０３】
次に、運転開始以後常時、加熱部温度センサの温度勾配が計測、演算され閾値と対照される。
【０１０４】
また、室内温度センサの温度が上昇するとこれに応じて閾値は修正され、かつ、ヒータのＯＦＦ動作あるいはＯＮ動作でも閾値は変更される。
【０１０５】
また、換気ファンが故障した場合も閾値は上方に修正される。
【０１０６】
そして、以上の過程において循環ファンの故障が発生すると温度勾配の値が上昇し、閾値を超えた時点で故障と判断されるものである。
【０１０７】
このような動作は実施の形態１での説明と同様に制御装置１のＣＰＵ２の内部のマイコンとＲＯＭおよびＲＡＭが共働するプログラムの形態で実施される。次に述べる故障検知後の動作、および図８と図９で説明する事柄についても同様である。
【０１０８】
循環ファン１０４の故障が検知されると制御装置１はすべての継電器７，８，９，１０をすべてＯＦＦにして浴室換気乾燥装置の運転を停止し、警報部１２で警報を吹鳴して使用者に知らせ故障表示部１１で故障であることを告知する。
【０１０９】
なお、前述した換気ファン１１１の故障の場合は故障表示部１１と警報部１２のみ作動する。ただし、浴室換気乾燥装置の運転を停止するようにしてもよい。この場合は前述した換気ファン１１１の故障による閾値の修正は行われない。
【０１１０】
次に図８を用いてヒータ（加熱手段）の故障検知の原理の説明と故障検知した場合の制御装置１の動作について説明する。
【０１１１】
図８はヒータの故障検知の動作原理を説明するための図である。
【０１１２】
図の点線示４ａは図４（ａ）に示す４ａの再掲図である。
【０１１３】
図は任意の時刻ｔ８において、ヒータが故障（断線等）した場合のヒータ近傍温度の時間推移を実線示４ｐで表している。
【０１１４】
制御装置１はこの温度の時間推移を加熱部温度センサ４により監視しており、前記温度が減少域にあり、減少値の規定値ΔＴ２に達したときヒータの故障と判断する。
【０１１５】
このヒータの故障検知の方式は運転初期の一定期間を除き任意の時刻での故障検知が可能である。
【０１１６】
図のｔ１からｔ２の期間も温度の減少域であるが、この期間はＣＰＵ２が管理しているヒータＡ１０５がＯＦＦ期間であり、この期間の検知動作をしないようにすればΔＴ２は小さな値に設定でき、検知速度が早くできるとともに前述の故障検知ができない運転初期の一定期間も短くできる。
【０１１７】
このようにしてヒータの故障が検知された以後の制御装置１の動作は図７の説明と同様である。
【０１１８】
最後に図９を用いて継電器の故障検知の原理の説明と故障検知した場合の制御装置１の動作について説明する。
【０１１９】
図９は継電器の故障検知の動作原理を説明するための図である。
【０１２０】
図は、図４（ａ）に示す４ａの一部を拡大した再掲図であり、点線示４ａは加熱部温度センサ４が検知するヒータ近傍の温度の時間推移を示している。
【０１２１】
図においてヒータＡがＯＦＦする時刻ｔ１において継電器７の接点が溶着して開放できなかったときのヒータ近傍の温度の推移を実線示の４ｑで表している。
【０１２２】
図で明らかなように温度は本来低下するべきところであるが、僅かではあるが上昇を続けている。
【０１２３】
従って、温度が下降しないことをもってＣＰＵ２が継電器の故障と判断する。
【０１２４】
継電器の故障が検知された以後の制御装置１の動作は図７の説明と同様である。
【産業上の利用可能性】
【０１２５】
本発明の浴室換気乾燥装置は、運転中の突然の故障も迅速に検知して装置を安全側に作動させるもので安全性が高く、かつ故障部位を使用者に報知して修理点検が迅速に行えるようにしたものであり、家庭用の用途にとどまらずホテルや旅館などの業務用の建物や公民館や集会所など公共の施設の用途にも適用できる。
【符号の説明】
【０１２６】
１      制御装置
２      ＣＰＵ
３      室内温度センサ
４      加熱部温度センサ
５      換気部差圧センサ
６      運転モード設定部
７      継電器
８      継電器
９      継電器
１０    継電器
１１    故障表示部
１２    警報部
１０４  循環ファン
１０５  ヒータＡ（加熱手段）
１０６  ヒータＢ（加熱手段）
１１１  換気ファン
【図１】
0004483734.tif 000002
【図２】
0004483734.tif 000003
【図３】
0004483734.tif 000004
【図４】
0004483734.tif 000005
【図５】
0004483734.tif 000006
【図６】
0004483734.tif 000007
【図７】
0004483734.tif 000008
【図８】
0004483734.tif 000009
【図９】
0004483734.tif 000010